(57)【要約】【課題】装置間の煩雑な接続および設定を行わないで音響信号を帯域分割させることができる音響信号増幅装置を提供すること。【解決手段】外部から音響信号を入力する入力端子１０１、１０２、１０３、１０４、入力された音響信号を所定の基準周波数よりも高い周波数帯の高域音響信号と前記基準周波数よりも低い周波数帯の低域音響信号とに分割する帯域分割手段１１１、１１２、１１３、１１４、低域音響信号の極性を反転して逆相低域音響信号を生成する低域音響信号極性反転手段１１５、高域音響信号および低域音響信号を増幅し増幅された信号に基づいて出力端子１４１、１４２、１４３、１４４に接続されたスピーカを駆動させるための出力ドライバ１３１、１３２、１３３、１３４、高域音響信号および低域音響信号を出力ドライバに増幅させるか外部から入力された音響信号を出力ドライバに増幅させるかを選択させる選択手段１２０によって構成される。【選択図】  図１
2004221748.tif 000002
【特許請求の範囲】
【請求項１】
外部から入力された音響信号を所定の基準周波数よりも高い周波数帯の高域音響信号と前記基準周波数よりも低い周波数帯の低域音響信号とに分割する帯域分割手段と、前記低域音響信号の極性を反転して逆相低域音響信号を生成する低域音響信号極性反転手段と、前記高域音響信号および前記低域音響信号を増幅し、増幅された信号に応じて外部に接続されたスピーカを駆動させるための出力ドライバとを備えたことを特徴とする音響信号増幅装置。
【請求項２】
前記帯域分割手段が、前記音響信号として第１の音響信号と第２の音響信号とを外部から入力し、前記第１の音響信号のうち、所定の基準周波数より高い周波数帯の第１の高域音響信号を選択的に通過させ、前記第２の音響信号のうち、前記所定の基準周波数より高い周波数帯の第２の高域音響信号を選択的に通過させ、前記第１の音響信号と前記第２の音響信号とを加算した信号である加算音響信号を生成し、前記加算音響信号のうち、前記所定の基準周波数より低い周波数帯の前記低域音響信号を選択的に通過させ、前記高域音響信号が、前記第１の高域音響信号および前記第２の高域音響信号よりなるようにしたことを特徴とする請求項１記載の音響信号増幅装置。
【請求項３】
前記高域音響信号および前記低域音響信号を前記出力ドライバに増幅させるか外部から入力された音響信号を前記出力ドライバに増幅させるかを選択させる選択手段を備え、前記出力ドライバは、前記選択手段によって選択された信号を増幅し、増幅して得られた信号に応じて外部に接続されたスピーカを駆動させるようにしたことを特徴とする請求項１または請求項２記載の音響信号増幅装置。
【請求項４】
外部から入力された音響信号の極性を反転する極性反転手段を備えたことを特徴とする請求項３記載の音響信号増幅装置。
【発明の詳細な説明】
【０００１】
【発明の属する技術分野】
本発明は、音響信号を増幅し、スピーカを駆動させて音響信号を拡声する音響信号増幅装置に関するものである。
【０００２】
【従来の技術】
従来、この種の音響信号増幅装置は、図３に示すようなものが知られている。
【０００３】
従来の音響信号増幅装置３００は、外部装置から音響信号を入力するための第１の入力端子３０１、第２の入力端子３０２、第３の入力端子３０３、第４の入力端子３０４、第１の入力端子３０１に入力された音響信号の極性を反転する第１の極性反転手段３０５、第１の極性反転手段３０５によって出力された信号と第２の入力端子３０２に入力された音響信号とのうちの何れかの信号を選択する第１の信号選択手段３０６、第３の入力端子３０３に入力された音響信号の極性を反転する第２の極性反転手段３０７、第２の極性反転手段３０７によって出力された信号と第４の入力端子３０４に入力された音響信号とのうちの何れかの信号を選択する第２の信号選択手段３０８、入力された信号の振幅を増幅し、接続されたスピーカを駆動する第１の出力ドライバ３３１、第２の出力ドライバ３３２、第３の出力ドライバ３３３、第４の出力ドライバ３３４、およびスピーカが接続される第１の出力端子３４１、第２の出力端子３４２、第３の出力端子３４３、第４の出力端子３４４によって構成される。
【０００４】
この構成により、入力された音響信号の振幅を増幅し、接続されたスピーカを駆動することが可能である。
ここで、一般に、音響信号を拡声して伝達するシステムにおけるスピーカ構成は、全周波数帯域の信号を全帯域用スピーカで拡声する構成と、低周波数帯域の信号の拡声に低域拡声用スピーカ（以下、サブウーハという。）を加える構成がある。
【０００５】
また、上記の全帯域用スピーカとサブウーハによって拡声システムを構成する場合、スピーカ間の拡声音が干渉を起こすことの抑制や、各スピーカの本来の拡声帯域以外の帯域でスピーカを駆動させることによるスピーカの破壊を防止することを目的として、サブウーハには低周波数帯域の信号成分であるサブウーハ拡声帯域成分の信号を、全帯域用スピーカにはサブウーハ拡声帯域以上の帯域成分の信号を帯域分割して供給し、スピーカを駆動する必要がある。
【０００６】
帯域分割装置３５０は、音響信号を帯域分割して供給することが出来る装置である。
帯域分割装置３５０は、外部装置からステレオ音響信号を入力する第５の入力端子３５１、第６の入力端子３５２、入力された音響信号の所定の周波数以下の周波数帯域の信号成分の通過を遮断する第１の高域通過フィルタ３１１、第２の高域通過フィルタ３１２、第５の入力端子３５１と第６の入力端子３５２とに入力された音響信号を加算するモノラル加算手段３１３、入力された音響信号の所定の周波数以上の周波数帯域の信号成分の通過を遮断する低域通過フィルタ３１４、第１の高域通過フィルタ３１１を通過した信号を外部に出力する第５の出力端子３５３、第２の高域通過フィルタ３１２を通過した信号を外部に出力する第６の出力端子３５４、低域通過フィルタ３１４を通過した信号を外部に出力する第７の出力端子３５５によって構成される。
【０００７】
帯域分割装置３５０によって帯域分割されたステレオ音響信号は、音響信号増幅装置３００に供給される。例えば、高域周波数帯の音響信号は、第１の入力端子３０１、第２の入力端子３０２に入力され、第１の出力ドライバ３３１、第２の出力ドライバ３３２によって振幅が増幅され、第１の出力端子３４１、第２の出力端子３４２に接続された第１の全帯域用スピーカ４０１、第２の全帯域用スピーカ４０２によって拡声される。
【０００８】
また、低域周波数帯の音響信号は、第３の入力端子３０３に入力され、第３の出力ドライバ３３３、第４の出力ドライバ３３４によって振幅が増幅され、第３の出力端子３４３、第４の出力端子３４４に接続された低帯域用スピーカ４０３によって拡声される。このとき、低域周波数の音響信号は、第２の極性反転手段３０７によって極性が反転され、第４の出力ドライバ３３４に入力される。
このような音響信号増幅装置３００および帯域分割装置３５０の構成により、帯域分割された音響信号が拡声される。
【０００９】
なお、かかる先行技術は、文献公知発明に係るものでないため、記載すべき先行技術文献情報はない。
【００１０】
【発明が解決しようとする課題】
しかし、このような従来の音響信号増幅装置では、音響信号を帯域分割して拡声するときに、音響信号を帯域分割して供給することが出来る装置を接続する必要があり、かつ、装置間の接続および設定が複雑であるために、装置間の接続および設定を誤り、スピーカの破壊を招くという事故が発生するという問題があった。
【００１１】
本発明は、このような問題を解決するためになされたもので、装置間の煩雑な接続および設定を行わないで音響信号を帯域分割させることができる音響信号増幅装置を提供するものである。
【００１２】
【課題を解決するための手段】
本発明の音響信号増幅装置は、外部から入力された音響信号を所定の基準周波数よりも高い周波数帯の高域音響信号と前記基準周波数よりも低い周波数帯の低域音響信号とに分割する帯域分割手段と、前記低域音響信号の極性を反転して逆相低域音響信号を生成する低域音響信号極性反転手段と、前記高域音響信号および前記低域音響信号を増幅し、増幅された信号に応じて外部に接続されたスピーカを駆動させるための出力ドライバとを備えた構成を有している。
【００１３】
この構成により、内部に帯域分割拡声機能を有しているため、音響信号を帯域分割させて拡声させる場合に、装置間の煩雑な接続および設定を排除することが可能であり、さらに、装置間の接続および設定の誤りによってスピーカを破壊するという事故を防止し、低域用スピーカをＢＴＬ駆動させることが可能である。
【００１４】
また、本発明の音響信号増幅装置は、前記帯域分割手段が、前記音響信号として第１の音響信号と第２の音響信号とを外部から入力し、前記第１の音響信号のうち、所定の基準周波数より高い周波数帯の第１の高域音響信号を選択的に通過させ、前記第２の音響信号のうち、前記所定の基準周波数より高い周波数帯の第２の高域音響信号を選択的に通過させ、前記第１の音響信号と前記第２の音響信号とを加算した信号である加算音響信号を生成し、前記加算音響信号のうち、前記所定の基準周波数より低い周波数帯の前記低域音響信号を選択的に通過させ、前記高域音響信号が、前記第１の高域音響信号および前記第２の高域音響信号よりなるようにした構成を有している。
【００１５】
この構成により、内部にステレオ音響信号に対応した帯域分割拡声機能を有しているため、ステレオ音響信号を帯域分割させて拡声させる場合に、装置間の煩雑な接続および設定を排除することが可能であり、さらに、装置間の接続および設定の誤りによってスピーカを破壊するという事故を防止し、低域用スピーカをＢＴＬ駆動させることが可能である。
【００１６】
また、本発明の音響信号増幅装置は、前記高域音響信号および前記低域音響信号を前記出力ドライバに増幅させるか外部から入力された音響信号を前記出力ドライバに増幅させるかを選択させる選択手段を備え、前記出力ドライバは、前記選択手段によって選択された信号を増幅し、増幅して得られた信号に応じて外部に接続されたスピーカを駆動させるようにした構成を有している。
【００１７】
この構成により、帯域分割拡声を実行するか否かを一括して設定できるため、内部の帯域分割拡声機能を使用しない音響信号拡声システムに適用可能である。
【００１８】
また、本発明の音響信号増幅装置は、外部から入力された音響信号の極性を反転する極性反転手段とを備えた構成を有している。
【００１９】
この構成により、入力された音響信号の極性を反転させることができるため、外部装置によって帯域分割された音響信号を入力して、低域用スピーカをＢＴＬ駆動させることが可能である。
【００２０】
【発明の実施の形態】
以下、本発明の実施の形態について、図面を用いて説明する。
図１は、本発明の第１の実施の形態の音響信号増幅装置の概略のブロック構成を示す図である。
音響信号増幅装置１００は、外部装置から音響信号を入力するための第１の入力端子１０１、第２の入力端子１０２、第３の入力端子１０３、第４の入力端子１０４、第１の入力端子１０１に入力された音響信号の極性を反転する第１の極性反転手段１０５、第１の極性反転手段１０５によって出力された信号と第２の入力端子１０２に入力された音響信号とのうちの何れかの信号を選択する第１の信号選択手段１０６、第３の入力端子１０３に入力された音響信号の極性を反転する第２の極性反転手段１０７、第２の極性反転手段１０７によって出力された信号と第４の入力端子１０４に入力された音響信号とのうちの何れかの信号を選択する第２の信号選択手段１０８、入力された音響信号の所定の周波数以下の周波数帯域の信号成分の通過を遮断する第１の高域通過フィルタ１１１、第２の高域通過フィルタ１１２、第１の入力端子１０１と第２の入力端子１０２とに入力された音響信号を加算するモノラル加算手段１１３、入力された音響信号の所定の周波数以上の周波数帯域の信号成分の通過を遮断する低域通過フィルタ１１４、低域通過フィルタ１１４によって出力された信号の極性を反転する第３の極性反転手段１１５、後述の第１の出力ドライバ１３１、第２の出力ドライバ１３２、第３の出力ドライバ１３３および第４の出力ドライバ１３４に増幅させる信号を、高域音響信号および低域音響信号とするか外部から入力された音響信号とするかを選択させる選択手段１２０、入力された信号の振幅を増幅し、接続されたスピーカを駆動する第１の出力ドライバ１３１、第２の出力ドライバ１３２、第３の出力ドライバ１３３、第４の出力ドライバ１３４、スピーカが接続される第１の出力端子１４１、第２の出力端子１４２、第３の出力端子１４３、第４の出力端子１４４によって構成される。
【００２１】
なお、第１の高域通過フィルタ１１１、第２の高域通過フィルタ１１２、モノラル加算手段１１３、および低域通過フィルタ１１４によって、外部から入力された音響信号を所定の基準周波数よりも高い周波数帯の高域音響信号と前記基準周波数よりも低い周波数帯の低域音響信号とに分割する帯域分割手段が構成される。
【００２２】
また、第３の極性反転手段１１５によって、前記低域音響信号の極性を反転して逆相低域音響信号を生成する低域音響信号極性反転手段が構成される。
【００２３】
第１の入力端子１０１には、外部装置によって第１の音響信号が入力されるようになっており、第１の入力端子１０１は、入力された第１の音響信号を第１の極性反転手段１０５、第１の高域通過フィルタ１１１、モノラル加算手段１１３および選択手段１２０に出力するようになっている。
【００２４】
第２の入力端子１０２には、外部装置によって第２の音響信号が入力されるようになっており、第２の入力端子１０２は、入力された第２の音響信号を第１の信号選択手段１０６、第２の高域通過フィルタ１１２およびモノラル加算手段１１３に出力するようになっている。
【００２５】
第３の入力端子１０３には、外部装置によって第３の音響信号が入力されるようになっており、第３の入力端子１０３は、入力された第３の音響信号を第２の極性反転手段１０７および選択手段１２０に出力するようになっている。
【００２６】
第４の入力端子１０４には、外部装置によって第４の音響信号が入力されるようになっており、第４の入力端子１０４は、入力された第４の音響信号を第２の信号選択手段１０８に出力するようになっている。
【００２７】
第１の極性反転手段１０５には、第１の入力端子１０１によって出力された第１の音響信号が入力されるようになっており、第１の極性反転手段１０５は、入力された第１の音響信号の極性を反転させ第１の逆相音響信号を生成し、生成された第１の逆相音響信号を第１の信号選択手段１０６に出力するようになっている。
【００２８】
第１の信号選択手段１０６には、第１の極性反転手段１０５によって出力された第１の逆相音響信号と第２の入力端子１０２によって出力された第２の音響信号とが入力されるようになっている。
【００２９】
第１の信号選択手段１０６は、入力された第１の逆相音響信号および第２の音響信号のうちの何れかの信号を選択し、選択された信号を選択手段１２０に出力するようになっている。
なお、以下の説明において、第１の信号選択手段１０６によって選択された信号のことを、第１の選択信号という。
【００３０】
ここで、第１の信号選択手段１０６は、例えば、第２の入力端子１０２に接続された端子、第１の極性反転手段１０５に接続された端子、および第４の信号選択手段１２２接続された端子を有し、第２の入力端子１０２または第１の極性反転手段１０５の何れかと第４の信号選択手段１２２との接続を切替えることによって、入力された第１の逆相音響信号および第２の音響信号のうちの何れかの信号を選択し、選択された信号を選択手段１２０に出力するようになっていてもよい。
【００３１】
第２の極性反転手段１０７には、第３の入力端子１０３によって出力された第３の音響信号が入力されるようになっており、第２の極性反転手段１０７は、入力された第３の音響信号の極性を反転させ第２の逆相音響信号を生成し、生成した第２の逆相音響信号を第２の信号選択手段１０８に出力するようになっている。
【００３２】
第２の信号選択手段１０８には、第２の極性反転手段１０７によって出力された第２の逆相音響信号と第４の入力端子１０４によって出力された第４の音響信号とが入力されるようになっている、
【００３３】
第２の信号選択手段１０８は、入力された第２の逆相音響信号と第４の音響信号とのうちの何れかの信号を選択し、選択した信号を選択手段１２０に出力するようになっている。
【００３４】
ここで、第２の信号選択手段１０８は、例えば、第４の入力端子１０４に接続された端子、第２の極性反転手段１０７に接続された端子、および第６の信号選択手段１２４接続された端子を有し、第４の入力端子１０４または第２の極性反転手段１０７の何れかと第６の信号選択手段１２４との接続を切替えることによって、入力された第２の逆相音響信号と第４の音響信号とのうちの何れかの信号を選択し、選択した信号を選択手段１２０に出力するようになっていてもよい。
なお、以下の説明において、第２の信号選択手段１０８によって選択された信号のことを第２の選択信号という。
【００３５】
第１の高域通過フィルタ１１１には、第１の入力端子１０１によって出力された第１の音響信号が入力されるようになっており、第１の高域通過フィルタ１１１は、入力された第１の音響信号の所定の周波数以下の周波数帯域の信号成分を遮断して、第１の音響信号の所定の周波数以上の周波数帯域の信号成分のみを通過させて選択手段１２０に出力するようになっている。
【００３６】
なお、以下の説明において、第１の高域通過フィルタ１１１を通過した第１の音響信号のことを第１の高域音響信号という。
また、所定の周波数は、予め設定されていてもよいし、外部装置によって設定されるのでもよい。
【００３７】
第２の高域通過フィルタ１１２には、第２の入力端子１０２によって出力された第２の音響信号が入力されるようになっており、第２の高域通過フィルタ１１２は、入力された第２の音響信号の所定の周波数以下の周波数帯域の信号成分を遮断して、第２の音響信号の所定の周波数以上の周波数帯域の信号成分のみを通過させて選択手段１２０に出力するようになっている。
【００３８】
なお、以下の説明において、第２の高域通過フィルタ１１２を通過した第２の音響信号のことを第２の高域音響信号という。
また、所定の周波数は、予め設定されていてもよいし、外部装置によって設定されるのでもよく、さらに、第１の高域通過フィルタ１１１と第２の高域通過フィルタ１１２は同様の通過周波数特性を有しているものとする。
【００３９】
モノラル加算手段１１３には、第１の入力端子１０１によって出力された第１の音響信号と第２の入力端子１０２によって出力された第２の音響信号とが入力されるようになっており、モノラル加算手段１１３は、入力された第１の音響信号と第２の音響信号とをモノラル加算して加算音響信号を生成し、生成された加算音響信号を低域通過フィルタ１１４に出力するようになっている。
【００４０】
低域通過フィルタ１１４には、モノラル加算手段１１３によって出力された加算音響信号が入力されるようになっており、低域通過フィルタ１１４は、入力された加算音響信号の所定の周波数以上の周波数帯域の信号成分を遮断して、加算音響信号の所定の周波数以下の周波数帯域の信号成分のみを通過させて第３の極性反転手段１１５および選択手段１２０に出力するようになっている。
なお、以下の説明において、低域通過フィルタ１１４を通過した加算音響信号のことを低域音響信号という。
【００４１】
また、所定の周波数は、予め設定されていてもよいし、外部装置によって設定されるのでもよい。さらに、低域通過フィルタ１１４の通過周波数特性は、第１の高域通過フィルタ１１１および第２の高域通過フィルタ１１２の通過周波数特性に基づいて設定されるものとする。
【００４２】
図２は、本発明の第１の実施の形態の音響信号増幅装置における、第１の高域通過フィルタ１１１および第２の高域通過フィルタ１１２の通過周波数特性と低域通過フィルタ１１４の通過周波数特性との関係の例を示す図である。
【００４３】
図２において、低域通過フィルタの通過周波数特性２０１と高域通過フィルタの通過周波数特性２０２とが交差する周波数は、クロスオーバポイント２０３といわれている。低域通過フィルタ１１４の通過周波数特性は、第１の高域通過フィルタ１１１および第２の高域通過フィルタ１１２の通過周波数特性と交差するときに、クロスオーバポイント２０３を持つように設定される。
【００４４】
第３の極性反転手段１１５には、低域通過フィルタ１１４によって出力された低域音響信号が入力され、第３の極性反転手段１１５は、入力された低域音響信号の極性を反転させ逆相低域音響信号を生成し、生成した逆相低域音響信号を選択手段１２０に出力するようになっている。
【００４５】
上述の第１の高域通過フィルタ１１１、第２の高域通過フィルタ１１２、モノラル加算手段１１３および低域通過フィルタ１１４によって、第１の入力端子１０１および第２の入力端子１０２に入力されたステレオ音響信号を帯域分割して、第１の高域通過フィルタ１１１、第２の高域通過フィルタ１１２を通過した信号を全帯域用スピーカに出力して拡声し、モノラル加算手段１１３でモノラル加算され低域通過フィルタ１１４を通過した信号を低域拡声用スピーカ（以下、サブウーハという。）に出力して拡声する機能（以下、帯域分割拡声という。）を実現することが可能である。
【００４６】
なお、サブウーハには、低域通過フィルタ１１４を通過した信号だけでなく、低域通過フィルタ１１４を通過した信号を第３の極性反転手段１１５によって極性反転された信号が入力され、サブウーハは、上述の２つの信号によって駆動される。
ここで、全帯域用スピーカと比較して２倍の容量を有するサブウーハが正相信号と逆相信号とによって駆動されることは、公知の技術であり、一般には、ＢＴＬ（Ｂａｌａｎｃｅｄ  Ｔｒａｎｓ  Ｌｅｓｓ）駆動という。
【００４７】
選択手段１２０は、帯域分割拡声を実行するか否かをユーザに選択させることによって、高域音響信号および低域音響信号を出力ドライバに増幅させるか外部から入力された音響信号を出力ドライバに増幅させるかを選択させるようになっている。
【００４８】
選択手段１２０には、第１の入力端子１０１によって出力された第１の音響信号、第１の高域通過フィルタ１１１によって出力された第１の高域音響信号、第１の信号選択手段１０６によって出力された第１の選択信号、第２の高域通過フィルタ１１２によって出力された第２の高域音響信号、第３の入力端子１０３によって出力された第３の音響信号、低域通過フィルタ１１４によって出力された低域音響信号、第２の信号選択手段１０８によって出力された第２の選択信号および第３の極性反転手段１１５によって出力された逆相低域音響信号が入力されるようになっている。
【００４９】
ユーザによって帯域分割拡声を実行すると選択された場合に、選択手段１２０は、第１の高域音響信号を第１の出力ドライバ１３１に出力し、第２の高域音響信号を第２の出力ドライバ１３２に出力し、低域音響信号を第３の出力ドライバ１３３に出力し、逆相低域音響信号を第４の出力ドライバ１３４に出力するようになっている。
【００５０】
また、ユーザによって帯域分割拡声を実行しないと選択された場合に、選択手段１２０は、第１の音響信号を第１の出力ドライバ１３１に出力し、第１の選択信号を第２の出力ドライバ１３２に出力し、第３の音響信号を第３の出力ドライバ１３３出力し、第２の選択信号を第４の出力ドライバ１３４に出力するようになっている。
【００５１】
ここで、選択手段１２０は、例えば、第１の入力端子１０１に接続された端子、第１の高域通過フィルタ１１１に接続された端子および第１の出力ドライバ１３１に接続された端子を有する第３の信号選択手段１２１、第１の信号選択手段１０６に接続された端子、第２の高域通過フィルタ１１２に接続された端子および第２の出力ドライバ１３２に接続された端子を有する第４の信号選択手段１２２、第３の入力端子１０３に接続された端子、低域通過フィルタ１１４に接続された端子および第３の出力ドライバ１３３に接続された端子を有する第５の信号選択手段１２３、および第２の信号選択手段１０８に接続された端子、第３の極性反転手段１１５に接続された端子および第４の出力ドライバ１３４に接続された端子を有する第６の信号選択手段１２４によって構成されていてもよい。
【００５２】
上記の選択手段１２０の構成例において、ユーザによって帯域分割拡声を実行すると選択された場合に、第１の高域通過フィルタ１１１に接続された端子と第１の出力ドライバ１３１に接続された端子とが接続され、第２の高域通過フィルタ１１２に接続された端子と第２の出力ドライバ１３２に接続された端子とが接続され、低域通過フィルタ１１４に接続された端子と第３の出力ドライバ１３３に接続された端子とが接続され、第３の極性反転手段１１５に接続された端子と第４の出力ドライバ１３４に接続された端子とが接続されるようになっている。
【００５３】
また、上記の選択手段１２０の構成例において、ユーザによって帯域分割拡声を実行しないと選択された場合に、第１の入力端子１０１に接続された端子と第１の出力ドライバ１３１に接続された端子とが接続され、第１の信号選択手段１０６に接続された端子と第２の出力ドライバ１３２に接続された端子とが接続され、第３の入力端子１０３に接続された端子と第３の出力ドライバ１３３に接続された端子とが接続され、第２の信号選択手段１０８に接続された端子と第４の出力ドライバ１３４に接続された端子とが接続されるようになっている。
【００５４】
第１の出力ドライバ１３１には、選択手段１２０によって出力された第１の音響信号または第１の高域音響信号が入力されるようになっており、第１の出力ドライバ１３１は、入力された信号の振幅を増幅し、振幅増幅された信号を第１の出力端子１４１に接続された外部スピーカに出力し、外部スピーカを駆動するようになっている。
【００５５】
第２の出力ドライバ１３２には、選択手段１２０によって出力された第１の選択信号または第２の高域音響信号が入力され、第２の出力ドライバ１３２は、入力された信号の振幅を増幅し、振幅増幅された信号を第２の出力端子１４２に接続された外部スピーカに出力し、外部スピーカを駆動するようになっている。
【００５６】
第３の出力ドライバ１３３には、選択手段１２０によって出力された第３の音響信号または低域音響信号が入力され、第３の出力ドライバ１３３は、入力された信号の振幅を増幅し、振幅増幅された信号を第３の出力端子１４３に接続された外部スピーカに出力し、外部スピーカを駆動するようになっている。
【００５７】
第４の出力ドライバ１３４には、選択手段１２０によって出力された第２の選択信号または逆相低域音響信号が入力され、第４の出力ドライバ１３４は、入力された信号の振幅を増幅し、振幅増幅された信号を第４の出力端子１４４に接続された外部スピーカに出力し、外部スピーカを駆動するようになっている。
【００５８】
第１の出力端子１４１は、外部スピーカが接続され、第１の出力ドライバ１３１によって出力された信号を外部スピーカに出力するための端子である。
第２の出力端子１４２は、外部スピーカが接続され、第２の出力ドライバ１３２によって出力された信号を外部スピーカに出力するための端子である。
【００５９】
第３の出力端子１４３は、外部スピーカが接続され、第３の出力ドライバ１３３によって出力された信号を外部スピーカに出力するための端子である。
第４の出力端子１４４は、外部スピーカが接続され、第４の出力ドライバ１３４によって出力された信号を外部スピーカに出力するための端子である。
【００６０】
ここで、音響信号増幅装置１００に帯域分割拡声を実行させる場合は、第１の出力端子１４１には第１の全帯域用スピーカ４０１が、第２の出力端子１４２には第２の全帯域用スピーカ４０２が、第３の出力端子１４３および第２の出力端子１４２には低帯域用スピーカ４０３が接続されるようになっている。
【００６１】
また、音響信号増幅装置１００に帯域分割拡声を実行させない場合は、第１の出力端子１４１、第２の出力端子１４２、第３の出力端子１４３、および第４の出力端子１４４に接続されるスピーカの種類は、第１の入力端子１０１、第２の入力端子１０２、第３の入力端子１０３および第４の入力端子１０４に入力される音響信号に応じて変化するものとする。
【００６２】
以下、本発明の第１の実施の形態の音響信号増幅装置の動作を、選択手段１２０において帯域分割拡声を実行すると選択されている場合について説明する。
なお、以下の説明に先立ち、第１の入力端子１０１には第１の音響信号が入力され、第２の入力端子１０２には第２の音響信号が入力され、第１の出力端子１４１には第１の全帯域用スピーカ４０１が接続され、第２の出力端子１４２には第２の全帯域用スピーカ４０２が接続され、第３の出力端子１４３と第４の出力端子１４４とには低帯域用スピーカ４０３が接続されているものとする。
【００６３】
まず、第１の音響信号が第１の高域通過フィルタ１１１に入力され、第１の高域通過フィルタ１１１において第１の音響信号の所定の周波数以上の周波数帯域の信号成分のみを通過させた第１の高域音響信号が第１の出力ドライバ１３１によって増幅された後に、第１の全帯域用スピーカ４０１において拡声される。
【００６４】
また、第２の音響信号が第２の高域通過フィルタ１１２に入力され、第２の高域通過フィルタ１１２において第２の音響信号の所定の周波数以上の周波数帯域の信号成分のみを通過させた第２の高域音響信号が第２の出力ドライバ１３２によって増幅された後に、第２の全帯域用スピーカ４０２において拡声される。
【００６５】
また、第１の音響信号および第２の音響信号がモノラル加算手段１１３に入力され、第１の音響信号と第２の音響信号とに基づいた加算音響信号がモノラル加算手段１１３によって生成され、加算音響信号が低域通過フィルタ１１４に入力され、低域通過フィルタ１１４において加算音響信号の所定の周波数以下の周波数帯域の信号成分のみを通過させた低域音響信号が第３の出力ドライバ１３３によって増幅された後に、低帯域用スピーカ４０３において拡声される。
【００６６】
また、低域音響信号が第３の極性反転手段１１５に入力され、低域音響信号に基づいた逆相低域音響信号が第３の極性反転手段１１５によって生成され、生成された逆相低域音響信号が第４の出力ドライバ１３４に入力されて増幅された後に、低帯域用スピーカ４０３において拡声される。
【００６７】
以下、本発明の第１の実施の形態の音響信号増幅装置の動作を、選択手段１２０において帯域分割拡声を実行しないと選択されている場合について説明する。なお、以下の説明に先立ち、第１の入力端子１０１には第１の音響信号が入力され、第２の入力端子１０２には第２の音響信号が入力され、第３の入力端子１０３には第３の音響信号が入力され、第４の入力端子１０４には第４の音響信号が入力され、第１の出力端子１４１、第２の出力端子１４２、第３の出力端子１４３および第４の出力端子１４４には全帯域用スピーカが接続されているものとする。
【００６８】
第１の入力端子１０１を介して入力された第１の音響信号が第１の出力ドライバ１３１に入力されて増幅された後に、全帯域用スピーカにおいて拡声され、第２の入力端子１０２を介して入力された第２の音響信号が第２の出力ドライバ１３２に入力されて増幅された後に、全帯域用スピーカにおいて拡声され、第３の入力端子１０３を介して入力された第３の音響信号が第３の出力ドライバ１３３に入力されて増幅された後に、全帯域用スピーカにおいて拡声され、第４の入力端子１０４を介して入力された第４の音響信号が第４の出力ドライバ１３４に入力されて増幅された後に、全帯域用スピーカにおいて拡声される。
【００６９】
以上説明したように、本発明の第１の実施の形態の音響信号増幅装置は、内部に帯域分割拡声機能を有しているため、音響信号を帯域分割させて拡声させる場合に、装置間の煩雑な接続および設定を排除することが可能であり、さらに、装置間の接続および設定の誤りによってスピーカを破壊するという事故を防止することが可能である。
また、帯域分割拡声を実行するか否かを一括に設定できるため、内部の帯域分割拡声機能を使用しない音響信号拡声システムに適用可能である。
また、入力された音響信号の極性を反転させることができるため、外部装置によって帯域分割された音響信号を入力して、低域用スピーカをＢＴＬ駆動させることが可能である。
【００７０】
なお、本発明の第１の実施の形態の音響信号増幅装置は、第１の極性反転手段１０５、第１の信号選択手段１０６、第２の極性反転手段１０７、および第２の信号選択手段１０８を有さなくても実施可能である。このとき、第２の入力端子１０２は、外部装置から入力した第２の音響信号をモノラル加算手段１１３と第４の信号選択手段１２２に出力し、第４の入力端子１０４は、外部装置から入力した第４の音響信号を第６の信号選択手段１２４に出力するものである。
【００７１】
また、本発明の第１の実施の形態の音響信号増幅装置において、入力端子、出力ドライバおよび出力端子の個数は、それぞれ４個であったが、４個以上の入力端子、出力ドライバおよび出力端子を具備してもよいものとする。
【００７２】
【発明の効果】
以上説明したように、本発明は、装置間の煩雑な接続および設定を行わないで音響信号を帯域分割させることができる音響信号増幅装置を提供することができるものである。
【図面の簡単な説明】
【図１】本発明の第１の実施の形態の音響信号増幅装置の概略のブロック構成を示す図
【図２】本発明の第１の実施の形態の音響信号増幅装置の高域通過周波数特性と低域通過周波数特性との関係の例を示す図
【図３】従来の音響信号増幅装置の概略のブロック構成を示す図
【符号の説明】
１００、３００  音響信号増幅装置
１０１、３０１  第１の入力端子
１０２、３０２  第２の入力端子
１０３、３０３  第３の入力端子
１０４、３０４  第４の入力端子
１０５、３０５  第１の極性反転手段
１０６、３０６  第１の信号選択手段
１０７、３０７  第２の極性反転手段
１０８、３０８  第２の信号選択手段
１１１、３１１  第１の高域通過フィルタ
１１２、３１２  第２の高域通過フィルタ
１１３、３１３  モノラル加算手段
１１４、３１４  低域通過フィルタ
１１５  第３の極性反転手段
１２０  選択手段
１２１  第３の信号選択手段
１２２  第４の信号選択手段
１２３  第５の信号選択手段
１２４  第６の信号選択手段
１３１、３３１  第１の出力ドライバ
１３２、３３２  第２の出力ドライバ
１３３、３３３  第３の出力ドライバ
１３４、３３４  第４の出力ドライバ
１４１、３４１  第１の出力端子
１４２、３４２  第２の出力端子
１４３、３４３  第３の出力端子
１４４、３４４  第４の出力端子
２０１  低域通過フィルタの通過周波数特性
２０２  高域通過フィルタの通過周波数特性
２０３  クロスオーバポイント
３５０  帯域分割装置
３５１  第５の入力端子
３５２  第６の入力端子
３５３  第５の出力端子
３５４  第６の出力端子
３５５  第７の出力端子
４０１  第１の全帯域用スピーカ
４０２  第２の全帯域用スピーカ
４０３  低帯域用スピーカ
【図１】
2004221748.tif 000003
【図２】
2004221748.tif 000004
【図３】
2004221748.tif 000005